(57)【要約】【課題】導光体の取付片に進入した光を導光体の内部で拡散させ、光の利用効率を高めることができるとともに、取付片の付け根部分の点光りを弱めて、導光体の見映えを改善する。【解決手段】この光ガイド装置１１は、ＬＥＤ光源からの光を自身の延伸方向へ導く導光体１２と、導光体１２を灯具ボディに取り付けるための取付片１５を備える。取付片１５の付け根に、補強部１８と拡散部１９を導光体１２の延伸方向へ湾曲するように形成する。拡散部１９は、取付片１５に進入した光Ｌ３を導光体１２の内部に拡散させる散光面を含む。散光面は、進入光Ｌ３を受け散乱光Ｌ４を生成する円筒面として形成され、導光体１２の延伸方向と交差する断面の輪郭線上に曲線として現れる。【選択図】図２
2015195086.tif 000002
【特許請求の範囲】
【請求項１】
光源からの光を自身の延伸方向へ導く導光体に、該導光体を取り付けるための取付片を導光体の延伸方向と交差する方向へ突設し、取付片の付け根に、該取付片に進入した光を導光体の内部に拡散する拡散部を形成したことを特徴とする光ガイド装置。
【請求項２】
前記取付片の付け根が裾広がりとなるように、前記拡散部が導光体の延伸方向へ湾曲している請求項１記載の光ガイド装置。
【請求項３】
前記拡散部が、導光体の延伸方向と交差する断面の輪郭線から突出する曲線として現れる散光面を含む請求項１又は２記載の光ガイド装置。
【請求項４】
前記拡散部が、導光体の延伸方向と交差する断面の輪郭線から陥没する曲線として現れる散光面を含む請求項１〜３の何れか一項に記載の光ガイド装置。
【請求項５】
請求項１〜４の何れか一項に記載の光ガイド装置を装備したことを特徴とする車両用灯具。
【発明の詳細な説明】
【技術分野】
【０００１】
本発明は、光源からの光を導く導光体を備えた光ガイド装置に関する。
【背景技術】
【０００２】
この種の光ガイド装置は、図５に示すように、ヘッドランプ１の補助灯具２、サイドミラー３のターンシグナルランプ４など、各種の車両用灯具に広く使用されている。図６に示すように、光ガイド装置１１の導光体１２は、透明樹脂材料で細長く成形され、ＬＥＤ光源５からの光を一端の入射部１３にて入射し、入射光Ｌ１を導光体１２の延伸方向へ導くとともに、背面側のステップ１４で内面反射させ、反射光Ｌ２を灯具前方へ出射するように構成されている。
【０００３】
細長い導光体１２を灯具ボデに取り付けるために、従来、導光体１２に一つまたは複数の取付片１５を導光体１２の延伸方向と交差する方向へ突設した光ガイド装置が知られている。例えば、特許文献１には、取付片の付け根に、導光体の延伸方向と逆方向へ傾斜する逆テーパ部を形成し（同文献の図５参照）、取付片に進入した光の一部を逆テーパ部の平面で内面反射させて、灯具後方へ漏出させることで、付け根部分の点光りを抑える技術が記載されている（段落００１６参照）。
【先行技術文献】
【特許文献】
【０００４】
【特許文献１】特開２０１２−４８８４５号公報
【発明の概要】
【発明が解決しようとする課題】
【０００５】
ところが、従来の光ガイド装置によると、取付片に進入した光を平面で内面反射させているので、図７に示すように、進入光Ｌ３が取付片１５の付け根部１６から外部に漏れ出たり、内面反射光の一部が灯具前方へ向かったりするなど、付け根部１６が点光りを含めて想定外の光り方をするという問題点があった。また、特許文献１の従来技術によると、逆テーパ部が取付片に進入した光の一部を導光体の後方へ反射するので、点光り感は減少するが、反射光が導光体の外部へ漏れる無駄があるうえ、漏れた光が導光体背面のステップや導光体背後の反射鏡で再反射し、取付片の周辺部が他の部位と異なった光り方をするという不都合があった。
【０００６】
そこで、本発明の目的は、取付片に進入した光を導光体の内部で拡散させ、光の利用効率を高めることができるとともに、付け根部分の点光りを弱めて、導光体の見映えを改善できる光ガイド装置を提供することにある。
【課題を解決するための手段】
【０００７】
上記課題を解決するために、本発明は、次のような光ガイド装置および車両用灯具を提供する。
（１）光源からの光を自身の延伸方向へ導く導光体に、該導光体を取り付けるための取付片を導光体の延伸方向と交差する方向へ突設し、取付片の付け根に、該取付片に進入した光を導光体の内部に拡散させる拡散部を形成したことを特徴とする光ガイド装置。ここで、好ましくは、拡散部が導光体の延伸方向と交差する断面の輪郭線上に曲線として現れる散光面を含む。
【０００８】
（２）取付片の付け根が裾広がりとなるように、拡散部が導光体の延伸方向へ湾曲していることを特徴とする上記１に記載の光ガイド装置。
【０００９】
（３）拡散部が導光体の延伸方向と交差する断面の輪郭線から突出する曲線として現れる散光面を含むことを特徴とする上記１又は２に記載の光ガイド装置。
【００１０】
（４）拡散部が導光体の延伸方向と交差する断面の輪郭線から陥没する曲線として現れる散光面を含むことを特徴とする上記１又は２に記載の光ガイド装置。
【００１１】
（５）上記１〜４の何れか一つに記載された光ガイド装置を装備したことを特徴とする車両用灯具。
【発明の効果】
【００１２】
本発明の光ガイド装置によれば、取付片の付け根に拡散部を設け、取付片に進入した光を導光体の内部で拡散させるように構成したので、光の利用効率を高めることができるとともに、付け根部分の点光りを緩和して、導光体の見映えを改善できるという優れた効果がある。
【図面の簡単な説明】
【００１３】
【図１】本発明の一実施形態を示す光ガイド装置の斜視図である。
【図２】図１の光ガイド装置の導光作用を説明する取付片の周辺図である。
【図３】図２のａ−ａ線およびｂ-ｂ線に沿う導光体の断面図である。
【図４】図３とは異なる形状の散光面を示す導光体の断面図である。
【図５】光ガイド装置の適用例を示す車両用灯具の正面図である。
【図６】従来の光ガイド装置を示す導光体の平面図である。
【図７】従来の導光体による問題点を説明する取付片の周辺図である。
【発明を実施するための形態】
【００１４】
以下、本発明の一実施形態を図面に基づいて説明する。図１に示す光ガイド装置１１は、例えば、図５に示すようなヘッドランプ１、サイドターンシグナルランプ４、その他各種の車両用灯具に装備される。光ガイド装置１１の導光体１２は、従来と同様、全体が透明樹脂材料で細長く成形され、ＬＥＤ光源５からの光を自身の延伸方向（鎖線矢印方向）へ導くようになっている。
【００１５】
図１、図２に示すように、導光体１２の背面には、多数のステップ１４が導光体１２の延伸方向に列設され、入射光Ｌ１を内面反射し、反射光Ｌ２を灯具前方へ出射する。ステップ１４と隣接する位置において、導光体１２の外面には取付片１５が延伸方向と交差する方向に突設されている。取付片１５の左右両側面には、光源５側の付け根に補強部１８が形成され、補強部１８と反対側の付け根に拡散部１９が形成されている。
【００１６】
補強部１８および拡散部１９は、取付片１５の付け根が裾広がりとなるように、導光体１２の延伸方向へ湾曲した形状で左右対称に形成されている。そして、補強部１８と拡散部１９の両方が取付片１５の付け根を補強し、拡散部１９が取付片１５に進入した光Ｌ３を導光体１２の内部で拡散させるように機能する。なお、光源５側の補強部１８は、入射光Ｌ１が進入しないため、裾広がりのＲ形状とすることもできる。
【００１７】
一方、拡散部１９は、単なるＲ形状と異なり、取付片１５の側面が付け根部分で導光体１２の延伸方向へ盛り上がるような形状で形成され、取付片１５に進入した光Ｌ３を円筒面で受ける。この円筒面は、図３に示すように、進入光Ｌ３を導光体１２の内部に散らす散光面２０として機能し、（ａ）に示すように、導光体１２の延伸方向と直交する断面の輪郭線から突出する曲線として現れ、（ｂ）に示すように、延伸方向と斜めに交差する断面においても、その輪郭線から突出する曲線として現れる。
【００１８】
したがって、この実施形態の光ガイド装置１１によれば、取付片１５に進入した光Ｌ３を散光面２０で複数方向に散らし、微小エネルギーの散乱光Ｌ４として導光体１２の内部で拡散させることができる。その結果、付け根部分からの光漏れを少なくして、光の利用効率を高めることができるとともに、付け根部分の点光りを緩和して、導光体１２の外観を改善できる。また、散乱光Ｌ４は導光体１２の内部に封入されるので、外部漏出光の再反射による影響を受けるおそれもなく、導光体１２の全体をほぼ均一な明るさで見栄えよく発光させることができる。
【００１９】
図４は、拡散部１９の変形例を示す。この拡散部１９では、散乱光Ｌ４を生成する散光面２１が、導光体１２の延伸方向と交差する断面において、その輪郭線から陥没する曲線として現れている。また、散光面を断面波形に形成することもできる。その他、本発明は、上記実施形態に限定されるものではなく、発明の趣旨を逸脱しない範囲で、導光体１２や取付片１５の形状を適宜変更して実施することも可能である。
【符号の説明】
【００２０】
５    ＬＥＤ光源
１１    光ガイド装置
１２    導光体
１４    ステップ
１５    取付片
１８    補強部
１９    拡散部
２０    散光面
２１    散光面
【図１】
2015195086.tif 000003
【図２】
2015195086.tif 000004
【図３】
2015195086.tif 000005
【図４】
2015195086.tif 000006
【図５】
2015195086.tif 000007
【図６】
2015195086.tif 000008
【図７】
2015195086.tif 000009